(57)【要約】【課題】様々な用途に利用できる包装用フィルムを提供する。【解決手段】包装用フィルムＦは、製袋包装機２０にセットされる。包装用フィルムＦには、図柄ＰＴが反復的に印刷される。図柄ＰＴは、それぞれ１つの袋Ｂに相当する。図柄ＰＴはそれぞれ固有の個体識別情報Ｉを含む。個体識別情報Ｉは、例えば、バーコード、２次元バーコード、ドットコードなどの、光学的に読取可能なコードの形態で印刷されている。あるいは、個体識別情報Ｉは、例えば、電子透かしの形態で印刷されている。【選択図】図４
2019064671.tif 000002
【特許請求の範囲】
【請求項１】
製袋包装機にセットされる、それぞれ１つの袋に相当する図柄が反復的に印刷されている包装用フィルムであって、
前記図柄はそれぞれ固有の個体識別情報を含む、
包装用フィルム。
【請求項２】
前記図柄は、複数の同じ前記個体識別情報を含む、
請求項１に記載の包装用フィルム。
【請求項３】
前記袋は第１面及び前記第１面と反対側の第２面を有し、
前記図柄は、前記第１面に相当する第１エリア及び前記第２面に相当する第２エリアを有し、
前記第１エリア及び前記第２エリアは、それぞれ、複数の同じ前記個体識別情報を含む、
請求項２に記載の包装用フィルム。
【請求項４】
前記包装用フィルムに印刷された複数の前記図柄に含まれる固有の前記個体識別情報は、連続する番号である、
請求項１から３のいずれか１つに記載の包装用フィルム。
【請求項５】
前記図柄における前記個体識別情報が占める面積の割合は２０％以上である、
請求項１から４のいずれか１つに記載の包装用フィルム。
【請求項６】
前記図柄における前記個体識別情報が占める面積の割合は５０％以上である、
請求項５に記載の包装用フィルム。
【請求項７】
前記個体識別情報は、電子透かしの形態で印刷されている、
請求項１から６のいずれか１つに記載の包装用フィルム。
【発明の詳細な説明】
【技術分野】
【０００１】
本発明は、製袋包装用フィルムに関する。
【背景技術】
【０００２】
特許文献１（特開２０１６−１３２４５４号公報）は、製袋包装機にセットされる包装用フィルムを開示している。包装用フィルムは、反復的に印刷された図柄を有する。１つの図柄は１つの袋に相当する。図柄は、袋詰めされる商品の種類を特定するための商品コードを含むことが多い。
【発明の概要】
【発明が解決しようとする課題】
【０００３】
包装用フィルムの図柄に、商品コードだけではなく、商品の個体識別を可能にする個体識別情報が含まれていれば、様々な用途に利用することができる。
【０００４】
本発明の課題は、様々な用途に利用できる包装用フィルムを提供することである。
【課題を解決するための手段】
【０００５】
本発明の第１観点に係る包装用フィルムは、製袋包装機にセットされる。包装用フィルムには、図柄が反復的に印刷される。図柄は、それぞれ１つの袋に相当する。図柄はそれぞれ固有の個体識別情報を含む。
【０００６】
この構成によれば、それぞれの袋は他の袋と重複しない固有の個体識別情報を有する。したがって、製造ラインの特定、製造ロットの特定、製造条件と商品品質との照合、製造工程における不良品の識別及び破棄、出荷及び流通におけるトレース、など様々な用途に個体識別情報を利用できる。
【０００７】
本発明の第２観点に係る包装用フィルムは、第１観点に係る包装用フィルムにおいて、図柄が、複数の同じ個体識別情報を含む。
【０００８】
この構成によれば、１つの袋には複数の同じ個体識別情報が印刷される。したがって、読取機器が個体識別情報を認識する確率が高まるので、商品の個体識別の効率が向上する。
【０００９】
本発明の第３観点に係る包装用フィルムは、第２観点に係る包装フィルムにおいて、袋が第１面及び第１面と反対側の第２面を有する。図柄は、第１面に相当する第１エリア及び第２面に相当する第２エリアを有する。第１エリア及び第２エリアは、それぞれ、複数の同じ個体識別情報を含む。
【００１０】
この構成によれば、第１面と第２面のそれぞれに、複数の同じ個体識別情報が印刷される。したがって、読取機器が、第１面及び第２面のいずれを読み取る場合においても、個体識別が可能である。
【００１１】
本発明の第４観点に係る包装用フィルムは、第１観点から第３観点のいずれか１つに係る包装用フィルムにおいて、包装用フィルムに印刷された複数の図柄に含まれる固有の個体識別情報が、連続する番号である。
【００１２】
この構成によれば、個体識別情報は連続する番号である。したがって、製造現場等において商品の管理を行いやすい。
【００１３】
本発明の第５観点に係る包装用フィルムは、第１観点から第４観点のいずれか１つに係る包装用フィルムにおいて、図柄における個体識別情報が占める面積の割合が２０％以上である。
【００１４】
この構成によれば、図柄の面積の２０％以上が個体識別情報である。したがって、読取機器が個体識別情報を読み取りやすい。
【００１５】
本発明の第６観点に係る包装用フィルムは、第５観点に係る包装用フィルムにおいて、図柄における個体識別情報が占める面積の割合が５０％以上である。
【００１６】
この構成によれば、図柄の面積の５０％以上が個体識別情報である。したがって、読取機器が個体識別情報をさらに読み取りやすい。
【００１７】
本発明の第７観点に係る包装用フィルムは、第１観点から第６観点のいずれか１つに係る包装用フィルムにおいて、個体識別情報が、電子透かしの形態で印刷されている。
【００１８】
この構成によれば、個体識別情報は電子透かしの形態で印刷される。したがって、個体識別情報を必要としない消費者等を煩わせるおそれが少ない。
【発明の効果】
【００１９】
本発明に係る包装用フィルムは、様々な用途に個体識別情報を利用できる。
【図面の簡単な説明】
【００２０】
【図１】図１は、フィルムＦで包装された商品Ｐの第１面Ｓ１を示す図である。
【図２】図２は、フィルムＦで包装された商品Ｐの第２面Ｓ２を示す図である。
【図３】図３は、本発明の第１実施形態に係るフィルムＦの反復的な図柄ＰＴを示す概略図である。
【図４】図４は、フィルムＦがセットされる製袋包装機２０の構成を示す図である。
【図５】図５は、フィルム筒ＦＴを示す図である。
【図６】図６は、フィルム筒ＦＴを示す図である。
【図７Ａ】図７Ａは、カメラ２０１を示す図である。
【図７Ｂ】図７Ｂは、バーコードリーダー２０２を示す図である。
【図７Ｃ】図７Ｃは、ウェアラブル端末２０３を示す図である。
【図７Ｄ】図７Ｄは、キーボード２０４を示す図である。
【図８】図８は、本発明の第２実施形態に係るフィルムＦ’の反復的な図柄ＰＴを示す概略図である。
【図９】図９は、フィルム筒ＦＴ’を示す図である。
【図１０】図１０は、フィルム筒ＦＴ’を示す図である。
【発明を実施するための形態】
【００２１】
以下、本発明に係る包装用フィルムの実施形態について、図面を用いて説明する。なお、本発明に係る包装用フィルムの具体的な構成は、下記の実施形態に限られるものではなく、発明の要旨を逸脱しない範囲で適宜変更可能である。
【００２２】
＜第１実施形態＞
（１）フィルムＦで包装された商品Ｐ
図１及び図２は、包装用のフィルムＦによって包装された商品Ｐの外観である。フィルムＦに包装される物品は多岐にわたり、例えば食品である。ここでいう食品には、医薬品も含まれる。フィルムＦは袋Ｂを形成している。図１は袋Ｂの第１面Ｓ１を示し、図２は袋Ｂの第２面Ｓ２を示す。第２面Ｓ２は、第１面Ｓ１の反対側に位置する。袋Ｂは、第２面Ｓ２の側に縦シール部ＸＬを有する。袋Ｂは、対向する２辺に横シール部ＸＴを有する。
【００２３】
（２）フィルムＦ
図３は、本発明の第１実施形態に係る包装用のフィルムＦを示す。フィルムＦは、縦方向Ｌに長く延び、縦方向Ｌと垂直な横方向Ｔに広がる一定の幅を有している。フィルムＦには、１つの袋Ｂに相当する図柄ＰＴが、寸法Ｄごとに反復的に印刷されている。すなわち、区画Ｚ１、区画Ｚ２、区画Ｚ３、区画Ｚ４はそれぞれ図柄ＰＴを有し、１つの袋Ｂを形成するために使用される。フィルムＦが最終的に袋Ｂに加工されたとき、寸法Ｄは、袋Ｂのデザインによって、袋Ｂの上辺と下辺の距離、又は袋Ｂの左辺と右辺の距離となる。
【００２４】
各区画は第１エリアＡ１と第２エリアＡ２を有する。第１エリアＡ１は、袋Ｂの第１面Ｓ１に相当する部分である。第２エリアＡ２は、袋Ｂの第２面Ｓ２に相当する部分である。
【００２５】
図柄ＰＴは、基準マークＭを含む。基準マークＭは、後述する製袋包装機２０の光電センサ２９によって読みとられるためのものである。基準マークＭは、第１エリアＡ１及び第２エリアＡ２のいずれにあってもよい。
【００２６】
図柄ＰＴは、固有の個体識別情報Ｉを含む。すなわち、それぞれの袋Ｂは異なる個体識別情報Ｉを持つ。１つの袋Ｂの第１エリアＡ１には、複数の同じ個体識別情報Ｉが印刷されている。１つの袋Ｂの第２エリアＡ２には、複数の同じ個体識別情報Ｉが印刷されている。１つの袋Ｂの第１エリアＡ１に印刷された複数の個体識別情報Ｉと、同じ袋Ｂの第２エリアＡ２に印刷された複数の個体識別情報Ｉとは、同じものである。
【００２７】
個体識別情報Ｉは、バーコード、２次元バーコード、ドットコードなどの、光学的に読取可能なコードの形態で印刷されている。隣接する個体識別情報Ｉは、実質的に隙間なく配置されている。図柄ＰＴにおいて個体識別情報Ｉが占める面積の割合は２０％以上であり、好ましくは５０％以上である。
【００２８】
個体識別情報Ｉは、番号であってもよい。さらには、反復的な図柄ＰＴに含まれる個体識別情報Ｉは、連続する番号であってもよい。例えば、区画Ｚ１、区画Ｚ２、区画Ｚ３、区画Ｚ４に含まれるそれぞれの個体識別情報Ｉは、この順に１ずつ増加する。
【００２９】
図柄ＰＴは、コードの形態で印刷された個体識別情報Ｉに加え、個体識別情報Ｉの数字又は文字による表記を含んでいることが好ましい。
【００３０】
（３）製袋包装機２０
図４は、フィルムＦを用いて商品Ｐを作る製袋包装機２０である。フィルムＦは、製袋包装機２０にセットされる。
【００３１】
製袋包装機２０は、ロール保持部２１、搬送機構２２、印刷部２３、印刷検査部２４、フォーマ２５、縦シール機構２６、横シール機構２７、切断機構２８、光電センサ２９を備える。
【００３２】
ロール保持部２１は、フィルムロールＦＲを保持する。フィルムロールＦＲは、心材と、心材に巻かれたフィルムＦを有する。
【００３３】
搬送機構２２は、ロール保持部２１から取り出したフィルムＦを搬送する。搬送機構２２は、参照符号を付していない複数のローラ、プルダウンベルト２２ａ、排出コンベア２２ｂ等を有する。
【００３４】
印刷部２３は、搬送中のフィルムＦの適切な位置に製造年月日などの所定の情報を文字の形態で印刷する。印刷検査部２４は、カメラからなる。印刷検査部２４は、印刷部２３が印刷した所定の情報が、正しい態様でフィルムＦに印刷されているか否かを検査する。
【００３５】
フォーマ２５は、平面の状態で搬送されてきたフィルムＦを丸め、当該フィルムＦの２つの縦辺を重ね合わせるためのものである。フォーマ２５は、筒状部材を有する。この筒状部材の内部空間は、包装されるべき物品をフィルムＦで形成される袋Ｂに充填するための充填経路として用いられる。
【００３６】
縦シール機構２６は、フォーマ２５によって重ね合わされたフィルムＦの２つの縦辺を固着させるものである。縦シール機構２６は、ヒータを有する。ヒータの発する熱がフィルムＦの当該重なり部分を一時的に軟化させることにより、固着が行われる。これにより、図５に示すように、フィルムＦに縦シール部ＸＬが形成され、筒の形状を有するフィルム筒ＦＴが作られる。
【００３７】
図４に戻り、横シール機構２７は、フィルム筒ＦＴにおいて対向する２つの部分を固着させるものである。横シール機構２７は、搬送経路を介して対向する第１部材２７ａと第２部材２７ｂとを有する。第１部材２７ａと第２部材２７ｂは、図示しないモータによって互いに接近したり、互いから離間したりすることが可能である。第１部材２７ａと第２部材２７ｂが接近する時、フィルム筒ＦＴの対向部分が互いに接触する。第１部材２７ａと第２部材２７ｂは、いずれも、ヒータを有する。ヒータの発する熱がフィルム筒ＦＴの当該接触部分を一時的に軟化させることにより、固着が行われる。これにより、図６に示すように、フィルム筒ＦＴに横シール部ＸＴが形成される。横シール機構２７の動作が終わるたびに、フィルム筒ＦＴには、フォーマ２５の内部空間を介して、１袋分の物品が充填される。
【００３８】
図４に戻り、切断機構２８は、横シール機構２７に設けられている。切断機構２８は、刃２８ａと、受容部２８ｂを有する。刃２８ａは、第１部材２７ａに設けられており、延出及び退避することができる。受容部２８ｂは、第２部材２７ｂに設けられており、延出した刃２８ａを受容することができる。切断機構２８の切断動作においては、刃２８ａが受容部２８ｂに向かって延出する。これにより、個別の商品Ｐが切り離される。図６に示すように、切断機構２８が切断する切断位置ＣＰは、横シール部ＸＴにある。
【００３９】
図４に戻り、光電センサ２９は、フィルムＦに設けられた基準マークＭを読み取るためのものである。光電センサ２９の出力信号は、横シール機構２７、及び切断機構２８の動作タイミングの決定に用いられる。
【００４０】
（４）読取機器
個体識別情報Ｉを読み取るための読取機器としては様々なものが考えられる。例えば、読取機器は、図７Ａに示すカメラ２０１であってもよい。あるいは、読取機器は、図７Ｂに示すバーコードリーダー２０２であってもよい。あるいは、読取機器は、図７Ｃに示すスマートグラスのようなウェアラブル端末２０３であってもよい。これらの読取機器は、例えば、画像から個体識別情報Ｉを抽出する画像処理部を有する。画像処理部は、ソフトウェアまたはハードウェアにより構成される。画像処理部は、読取機器と異なる機器に実装されてもよい。
【００４１】
さらに、読取機器による読み取りが失敗した場合に備えて、読取機器は、図７Ｄに示すように数字又は文字で表記された個体識別情報Ｉを入力するためのキーボード２０４を併せ持っていてもよい。
【００４２】
（５）特徴
（５−１）
それぞれの袋Ｂは他の袋Ｂと重複しない固有の個体識別情報Ｉを有する。したがって、製造ラインの特定、製造ロットの特定、製造条件と商品品質との照合、製造工程における不良品の識別及び破棄、出荷及び流通におけるトレース、など様々な用途に個体識別情報Ｉを利用できる。
【００４３】
（５−２）
１つの袋Ｂには複数の同じ個体識別情報Ｉが印刷される。したがって、読取機器が個体識別情報Ｉを認識する確率が高まるので、商品Ｐの個体識別の効率が向上する。
【００４４】
（５−３）
第１面Ｓ１と第２面Ｓ２のそれぞれに、複数の同じ個体識別情報Ｉが印刷される。したがって、読取機器が、第１面Ｓ１及び第２面Ｓ２のいずれを読み取る場合においても、個体識別が可能である。
【００４５】
（５−４）
個体識別情報Ｉは連続する番号とすることができる。したがって、製造現場等において商品Ｐの管理を行いやすい。
【００４６】
（５−５）
図柄ＰＴの面積の２０％以上、又は５０％以上が個体識別情報Ｉである。したがって、読取機器が個体識別情報Ｉを読み取りやすい。
【００４７】
＜第２実施形態＞
（１）フィルムＦ’
図８は、本発明の第２実施形態に係る包装用のフィルムＦ’を示す。フィルムＦ’は、第１実施形態に係るフィルムＦと同様に、製袋包装機２０にセットされるものである。
【００４８】
フィルムＦ’は、個体識別情報Ｉが電子透かしの形態で印刷されている点において、第１実施形態に係るフィルムＦとは異なっている。
【００４９】
図柄ＰＴは、人間の視覚によって認識できる絵、写真、文字、図形等からなる。個体識別情報Ｉは、画素の階調、又はその他の何らかの形態で図柄ＰＴの中に含まれている。個体識別情報Ｉは、人間の視覚によって認識できなくともよい。個体識別情報Ｉの１つの表記は、例えば１ｃｍの辺を有する正方形である。以上説明したものに限られず、電子透かしの仕様としてはあらゆるものが採用可能である。
【００５０】
図柄ＰＴは、固有の個体識別情報Ｉを含む。すなわち、それぞれの袋Ｂは異なる個体識別情報Ｉを持つ。第１エリアＡ１には、複数の同じ個体識別情報Ｉが印刷されている。第２エリアＡ２には、複数の同じ個体識別情報Ｉが印刷されている。１つの袋Ｂの第１エリアＡ１に印刷された複数の個体識別情報Ｉと、同じ袋Ｂの第２エリアＡ２に印刷された複数の個体識別情報Ｉとは、同じものである。
【００５１】
隣接する個体識別情報Ｉは、実質的に隙間なく配置されている。図柄ＰＴにおいて個体識別情報Ｉが占める面積の割合は２０％以上であり、好ましくは５０％以上である。
【００５２】
図９及び図１０は、フィルムＦ’から形成されたフィルム筒ＦＴ’である。
【００５３】
（２）読取機器
第１実施形態について言及した読取機器及びキーボードを、フィルムＦ’についても使用することができる。
【００５４】
（３）特徴
個体識別情報Ｉは電子透かしの形態で印刷される。したがって、個体識別情報Ｉを必要としない消費者等を煩わせるおそれが少ない。
【符号の説明】
【００５５】
２０    ：製袋包装機
２０１  ：カメラ
２０２  ：バーコードリーダー
２０３  ：ウェアラブル端末
２０４  ：キーボード
Ａ１    ：第１エリア
Ａ２    ：第２エリア
Ｂ      ：袋
Ｄ      ：寸法
Ｆ      ：フィルム
Ｆ’    ：フィルム
ＦＲ    ：フィルムロール
ＦＴ    ：フィルム筒
ＦＴ’  ：フィルム筒
Ｉ      ：個体識別情報
Ｐ      ：商品
ＰＴ    ：図柄
Ｓ１    ：第１面
Ｓ２    ：第２面
【先行技術文献】
【特許文献】
【００５６】
【特許文献１】特開２０１６−１３２４５４号公報
【図１】
2019064671.tif 000003
【図２】
2019064671.tif 000004
【図３】
2019064671.tif 000005
【図４】
2019064671.tif 000006
【図５】
2019064671.tif 000007
【図６】
2019064671.tif 000008
【図７Ａ】
2019064671.tif 000009
【図７Ｂ】
2019064671.tif 000010
【図７Ｃ】
2019064671.tif 000011
【図７Ｄ】
2019064671.tif 000012
【図８】
2019064671.tif 000013
【図９】
2019064671.tif 000014
【図１０】
2019064671.tif 000015